(57)【特許請求の範囲】
【請求項１】
被検体に対して超音波を送受して骨の評価を行う超音波骨評価装置であって、
超音波振動子をそれぞれ備え、被検体を挟む２個の振動子ユニットと、
２個の振動子ユニットを近づけるように及び遠ざけるように駆動するユニット駆動機構と、
２個の振動子ユニット間の距離を測定する距離計と、
距離計により測定された距離と２個の超音波振動子間の超音波伝播時間とに基づき、被検体を伝播する超音波の速度を算出する音速算出部と、
距離計により測定された距離に基づき、ユニット駆動機構の動作を制御する駆動機構制御部と、
を有し、
駆動機構制御部は、２個の振動子ユニットが近づく方向に駆動されているとき、距離計により測定された距離が変化しなくなるとユニット駆動機構を停止制御する、
超音波骨評価装置。
【請求項２】
請求項１に記載の超音波骨評価装置であって、距離計は、一方の振動子ユニットに対して固定されたレーザ光源と、他方の振動子ユニットに対し固定され、レーザ光源から照射されたレーザ光を反射する反射鏡と、前記一方の振動子ユニットに対して固定され、反射鏡で反射されたレーザ光を受光するレーザ受光器と、を含む、超音波骨評価装置。
【請求項３】
請求項１または２に記載の超音波骨評価装置であって、
各振動子ユニットは、被検体に接する硬質の接触ヘッドを有し、
ユニット駆動機構は、駆動源と、駆動源の駆動力を振動子ユニットに伝達する伝達機構とを含み、
伝達機構は、振動子ユニットが被検体に当接する際、伸びて衝撃を緩和する弾性部材を有する、
超音波骨評価装置。
【請求項４】
請求項１または２に記載の超音波骨評価装置であって、
各振動子ユニットは、被検体に接する硬質の接触ヘッドを有し、
ユニット駆動機構は、
駆動モータと、
右ねじ部と左ねじ部を有し駆動モータにより回転駆動される送りねじと、
送りねじの右ねじ部にねじ結合され、一方の振動子ユニットに第１緩衝ばねを介して結合される右ねじナット部と、
送りねじの左ねじ部にねじ結合され、他方の振動子ユニットに第２緩衝ばねを介して結合される左ねじナット部と、
を有する、
超音波骨評価装置。
【請求項５】
請求項４に記載の超音波骨評価装置であって、第１緩衝ばね及び第２緩衝ばねは、それぞれが関連する振動子ユニットが被検体に当接する際、伸びて当接時の衝撃を緩和する、超音波骨評価装置。
【発明の詳細な説明】
【技術分野】
【０００１】
本発明は、被検体に対して超音波を送受して被検体内の骨の状態を評価する超音波骨評価装置に関する。
【背景技術】
【０００２】
被検体に対して超音波を送受して被検体内の骨組織中を伝播する超音波の音速や減衰の程度等を測定することにより骨組織の状態を評価する超音波骨評価装置が実用に供されている。この超音波骨評価装置は、例えば、互いに向き合って配置された対をなす超音波振動子を有する。これらの超音波振動子の間に評価対象となる骨を配置して、一方の超音波振動子から超音波を送信し、骨組織を通過した超音波を他方の超音波振動子で受信し、これらの送受信信号に基づき対象の骨組織の状態の評価を行う。
【０００３】
下記特許文献１には、送りねじ（８８）を介して駆動モータにより一対の振動子アセンブリ（２８，３０）を駆動して生体（３９）を挟み、振動子アセンブリにより超音波を送受して骨を評価する骨評価装置が示されている。振動子アセンブリは、生体に接触するカップリング部（３４）を有する。このカップリング部には、液体が封入されている。振動子アセンブリを生体に接触させる際、接触により生体に加わる押圧力が所定値を超えたら、駆動モータからの伝達が遮断され、振動子アセンブリが停止する（段落００３９参照）。なお、（  ）内は、特許文献１で用いられる符号であり、本願の実施の形態で用いられる符号と関連しない。
【先行技術文献】
【特許文献】
【０００４】
【特許文献１】特開平９−２０６２９９号公報
【発明の概要】
【発明が解決しようとする課題】
【０００５】
それぞれ超音波振動子を備えた２個の振動子ユニットを移動させて被検体を挟む際、振動子ユニットが被検体を挟んだときに、振動子ユニットを移動させるための駆動機構を停止させる必要がある。振動子ユニットが被検体を挟んだことを把握するために、上記引用文献１では押圧力を利用しており、押圧力を測定するための構成が必要となる。しかし、振動子ユニットの駆動機構を制御するための物理量（例えば、押圧力）を測定する構成を設けることは、装置の大形化、またはコストの上昇を招くという問題がある。
【０００６】
本発明は、簡易な構成で振動子ユニットの駆動機構を制御することを目的とする。
【課題を解決するための手段】
【０００７】
本発明の超音波骨評価装置は、被検体内の音速測定の際に用いられる距離計を、振動子ユニットの駆動機構の制御にも用いる。骨評価においては、骨組織内の超音波の速度、つまり音速を評価のための物理量として用いている。音速は、超音波振動子間の距離と超音波の伝播時間から求めており、このため超音波骨評価装置には、超音波振動子間の距離を計測するための距離計が備えられている。この距離計を利用して、振動子ユニットの駆動の制御をする。例えば、２個の振動子ユニットが近づく方向に駆動されているとき、距離計により計測される距離の変化がなくなると、振動子ユニットが被検体に当接したと判断して、振動子ユニットの駆動を停止する。
【０００８】
距離計はレーザ距離計を用いることができる。レーザ距離計は、一方の振動子ユニットに対して固定されたレーザ光源および受光器と、他方の振動子ユニットに対して固定された反射鏡を有するものとできる。レーザ光源から照射されたレーザ光は、反射鏡に反射されて受光器へと向かう。例えば、レーザ光が往復に要した時間に基づき振動子ユニット間の距離を測定することができる。
【０００９】
各振動子ユニットは、被検体に接する硬質の接触ヘッドを有するものとできる。また、振動子ユニットを駆動するユニット駆動機構は、駆動源と、駆動源の駆動力を振動子ユニットに伝達する伝達機構とを含むものとでき、さらに伝達機構は、振動子ユニットが被検体に当接する際、伸びて衝撃を緩和する弾性部材を有するものとできる。
【発明の効果】
【００１０】
音速測定の際に用いられる距離計を、振動子ユニットを移動させるユニット駆動機構の制御に用いることで、超音波骨評価装置の構成を簡易なものとすることができる。
【図面の簡単な説明】
【００１１】
【図１】本実施形態の超音波骨評価装置の外観を示す斜視図である。
【図２】本実施形態の超音波骨評価装置の外観を示す斜視図である。
【図３】本実施形態の超音波骨評価装置の外観を示す斜視図である。
【図４】本実施形態の超音波骨評価装置と測定対象の足の関係を示す側面図である。
【図５】振動子ユニットを駆動するユニット駆動機構と制御系の構成を示す図である。
【図６】ユニット駆動機構の斜視図である。
【図７】振動子ユニットで足を挟んだときのユニット駆動機構の状態を示す図である。
【図８】測定に係る制御フローを示すチャートである。
【発明を実施するための形態】
【００１２】
以下、本発明の実施形態を、図面に従って説明する。本実施形態においては、超音波骨評価装置の一例として、足根を対象とした超音波骨評価装置を挙げて説明する。骨の評価は、例えば骨密度で行われる。骨密度は、骨を伝わる超音波の速度（音速）に関連しており、音速を測定することで骨の評価を行うことができる。
【００１３】
この明細書および特許請求の範囲において、向きを表す語句は、特段の断りがない限り、測定対象となる足根を含む足（図４に符号Ｆで示す。）の向きを基準として定める。つまり、足の裏を水平面に密着させて配置したとき、つま先の向きが「前」、その反対の向きが「後」であり、水平面に平行で前後の方向に直交する向きが「左」および「右」であり、前後方向と左右方向に直交する向きが「上」「下」である。
【００１４】
図１〜３は超音波骨評価装置１０の斜視図であり、図４は側面図である。超音波骨評価装置１０は、装置本体１２と、装置本体１２の上面の二つの隆起部１４，１６内に各々配置された一対の振動子ユニット１８，２０を含む。一対の振動子ユニット１８，２０を区別する必要があるときには、測定対象の足根の左側に位置する振動子ユニットを左振動子ユニット１８、右側に位置する振動子ユニットを右振動子ユニット２０と記す。振動子ユニット１８，２０は、超音波を送信および受信する超音波振動子と、測定対象の足根に接触する接触ヘッド２２，２４とを有する。接触ヘッド２２，２４も、これらを区別する必要があるときには、足根の左側に位置する接触ヘッドを左接触ヘッド２２、右側に位置する接触ヘッドを右接触ヘッド２４と記す。測定時において、２個の振動子ユニット１８，２０の間に足Ｆが置かれる。装置本体１２の上面は、足Ｆが置かれる足置き面である。
【００１５】
振動子ユニット１８，２０は、装置本体１２内に搭載されるユニット駆動機構２６（図５，６参照）により左右方向に駆動され、対象の足Ｆの足根を左右から挟み、振動子ユニット１８，２０の先端に設けられた接触ヘッド２２，２４が足根に密着することができる。装置本体１２内には、ユニット駆動機構２６の他、超音波の送受を制御する制御部２８（図５参照）、電源となる電池を搭載することができる。また、外部機器と接続するためのインタフェース、測定に係るデータを格納するためのメモリを搭載してもよい。装置本体１２の前方には開口３０が設けられ、この開口３０を囲む部分のうち前方側の部分が取っ手３２として機能する。この超音波骨評価装置１０を運ぶときに、開口３０に指を入れ、取っ手３２を握って持つことができる。
【００１６】
装置本体１２の上面であって、隆起部１４，１６の間の部分およびその前方の部分である平坦な部分に測定対象の足根が置かれる。装置本体１２の上面には、３枚の調節板３４Ａ，３４Ｂ，３４Ｃが回動可能に装着されている。個々の調節板３４Ａ，３４Ｂ，３４Ｃを区別する必要がない場合には、簡単のために、調節板３４と記して説明する。各調節板３４は、左右方向に対し直交する断面において、Ｌ字形状であり、このＬ字の角の部分に踵を当てて足Ｆの位置が固定される。調節板３４は、足根が置かれる位置と、その位置より前方の位置の間で回動可能である。３枚の調節板３４Ａ，３４Ｂ，３４Ｃが、足根が置かれる位置にある状態が図１および図２に示されている。また、図３には、３枚のうち２枚の調節板３４Ａ，３４Ｂが足根が置かれる位置から回動して退避した位置にある状態が示されている。調節板３４を重ねる枚数によって振動子ユニット１８，２０に対する足根の位置を調節することができる。これにより、体格の異なる被検者に対応することができる。この超音波骨評価装置１０においては、被検者が子供であるなど体格が小さい場合、３枚の調節板３４を用い、大人であるが体格が小さい場合（例えば、成人女性）では２枚を用い、体格の大きい大人（例えば、成人男性）では１枚を用いるようにしている。
【００１７】
図５は、振動子ユニット１８，２０を左右方向に駆動するユニット駆動機構２６および超音波骨評価装置１０の制御に係る構成の要部を示す図である。図６は、ユニット駆動機構２６を示す斜視図である。なお、図６においては、ユニット駆動機構２６を見やすくするため、振動子ユニット１８，２０が省略されている。ユニット駆動機構２６は、駆動源としての駆動モータ３６と、駆動モータ３６の駆動力を振動子ユニット１８に伝達する伝達機構３８を有する。伝達機構３８は、超音波骨評価装置１０の左右方向に延びて配置された送りねじ４０と、送りねじ４０にねじ結合するナット部４２，４４と、ガイド４６に沿ってスライドするスライダ４８，５０と、ナット部４２，４４とスライダ４８，５０を繋ぐ緩衝ばね５２，５４を含む。スライダ４８，５０には、振動子ユニット１８，２０が搭載されており、振動子ユニット１８，２０はスライダ４８，５０と一体となって移動する。ナット部４２，４４、スライダ４８，５０及び緩衝ばね５２，５４は、振動子ユニット１８，２０に対応してそれぞれ２個設けられており、２個を区別する必要があるときは、左右の振動子ユニット１８，２０と同様に、その名称の前に「左」「右」を付して説明する。以下の説明においても、左右の振動子ユニット１８，２０にそれぞれ対応して設けられている対をなす要素は、必要に応じて、左、右を用いて区別する。
【００１８】
駆動モータ３６は、歯車対５６を介して送りねじ４０を回転駆動する。図示するように駆動モータ３６と送りねじ４０は歯車対５６の同じ側に位置し、これにより装置の左右方向の寸法を短くすることができる。歯車対５６の速度比は１対１とすることができる。また、駆動モータ３６と送りねじ４０を同一の軸線上に配置し、歯車対５６を介さず直接駆動するようにもできる。また、送りねじ４０の中央部分に歯車を設け、この歯車から駆動力を入力するようにしてもよい。駆動モータ３６は、減速歯車を内蔵したギアドモータを用いることができる。また、駆動モータ３６には減速歯車を設けず、歯車対５６を減速歯車列としてもよい。
【００１９】
送りねじ４０は、互いに反対向きのねじが切られた二つのねじ部５８，６０を有する。この超音波骨評価装置１０においては、左振動子ユニット１８に関連する左側ねじ部５８は左ねじが切られ、右振動子ユニット２０に関連する右側ねじ部６０には右ねじが切られている。駆動モータ３６を回転させると送りねじ４０が回転し、これに伴ってナット部４２，４４が送りねじ４０の軸線方向に移動する。送りねじ４０の二つのねじ部５８，６０が逆向きのねじであるので、２個のナット部４２，４４は、互いに近づくように、又は互いに遠ざかるように移動する。２個のナット部４２，４４は、駆動モータ３６が正転すると互いに近づくように移動し、逆転すると互いに遠ざかるように移動する。ナット部４２，４４には、それぞれストッパ６２，６４が固定的に設けられている。
【００２０】
スライダ４８，５０は、係合するガイド４６に沿って移動可能なスライドベース６６，６８と、スライドベース６６，６８上に固定的に立設されたユニットホルダ７０，７２を含む。ユニットホルダ７０，７２は円環部を有し、この円環部に振動子ユニット１８，２０が挿入されて装着される。また、ガイド４６は、直線状のガイドであり、送りねじ４０と平行に配置される。これらにより、振動子ユニット１８，２０は、スライダ４８，５０と一体になって、これらを結ぶ直線に沿って移動する。
【００２１】
スライダ４８，５０には、ナット部４２，４４に設けられたストッパ６２，６４に当接する当接片７４，７６が設けられている。この超音波骨評価装置１０においては、当接片７４，７６は、スライドベース６６，６８から延びて設けられている。当接片７４，７６は、ストッパ６２，６４の外側から当接している。つまり、左当接片７４は、左ストッパ６２の左側から当接し、当接した位置から右への移動を左ストッパ６２により制限されている。同様に、右当接片７６は、右ストッパ６４の右側から当接し、当接した位置から左への移動を右ストッパ６４により制限されている。
【００２２】
ナット部４２，４４と、スライダ４８，５０の間には、緩衝ばね５２，５４が設けられている。緩衝ばね５２，５４は、ナット部４２，４４に設けられたナット部ばね受け７８，８０と、スライダ４８，５０に設けられたスライダばね受け８２，８４の間に架け渡されており、架け渡された２個のばね受けを近づける方向にばね力を作用させている。緩衝ばね５２，５４のばね力により、ナット部４２，４４とスライダ４８，５０に外力が作用しない状態において、当接片７４，７６はストッパ６２，６４に当接した状態に維持される。緩衝ばね５２，５４のばね力に抗する向きにナット部４２，４４とスライダ４８，５０にばね力を超える外力が作用すると、図７に示すように、当接片７４，７６とストッパ６２，６４が離れる。緩衝ばね５２，５４は、コイルばねを採用することができる。また、ばねに代えてゴムなどの弾性部材を採用することもできる。
【００２３】
スライダ４８，５０には、スライダ４８，５０の間の距離を測る距離計８６が設けられている。距離計８６は、２個のスライダ４８，５０の一方に固定され、レーザ光源とレーザ受光器が一体となった側距部８８と、他方のスライダに固定された反射鏡９０を含む。側距部８８から出射されたレーザ光９２は、反射鏡９０で反射されて側距部８８に向かい、側距部８８に受光される。側距部８８内で、または外部でレーザ光の出射と入射に基づき、側距部８８と反射鏡９０の間の距離が算出される。側距部８８と反射鏡９０は、これらが固定されたスライダ４８，５０および振動子ユニット１８，２０と一体となって移動するので、距離計８６により計測された距離は、２個の振動子ユニット１８，２０の間の距離に定数を加算した値となっている。したがって、側距部８８と反射鏡の距離を測定することは、２個の振動子ユニット１８，２０の間の距離を測定することと同義といえる。
【００２４】
２個の振動子ユニット１８，２０の接触ヘッド２２，２４は、アクリル樹脂などの硬質の材料で構成された中実の部材である。上述の特許文献において、被検体に当接する部分は、内部に液体が充填されたゴム等の膜状部材により構成され、膜状部材がその変形により被検体の外形にならうように構成されている。これに対し、この超音波骨評価装置１０の接触ヘッド２２，２４は、被検体への接触による変形を生じない。この程度の硬さについて、ここでは「硬質」の語句を用いている。接触ヘッド２２，２４が硬質であるため、足Ｆに接触ヘッド２２，２４が当接するとき、被検者が痛みを感じる場合がある。この超音波骨評価装置１０においては、接触ヘッド２２，２４が足Ｆに当接する際の衝撃を緩衝ばね５２，５４により緩和している。
【００２５】
２個の振動子ユニット１８，２０の一方に送信回路９４が接続され、他方に受信回路９６が接続されている。送信回路９４および受信回路９６は、制御部２８に接続されている。この超音波骨評価装置１０においては、送信回路９４が左振動子ユニット１８に、受信回路９６が右振動子ユニット２０に接続されている。制御部２８のトリガ信号により、送信回路９４によって振動子ユニット１８の超音波振動子が駆動され、超音波が送波される。送波された超音波は、振動子ユニット２０の超音波振動子で受波され、受信信号が受信回路９６に送られる。受信回路９６は、受信信号に所定の処理を行って、処理された信号を制御部２８に送る。制御部２８においては、受信信号に基づき所定の解析が行われる。例えば、音速算出部１００において、生体内の超音波の音速を求める。音速算出部１００は、送信回路９４に送信したトリガ信号および受信回路９６から受信した受信信号に基づき算出された超音波の伝播時間と、距離計８６により測定された距離とに基づき、被検体内の音速を算出する。制御部２８は、この音速に基づく骨評価を行う。
【００２６】
制御部２８は、さらに、ユニット駆動機構２６の制御を行う駆動機構制御部１０２を含む。制御部２８は、測定開始の指令を受けると、駆動機構制御部１０２により、駆動モータ３６を駆動制御する。駆動モータ３６が回転すると、伝達機構３８を介して振動子ユニット１８，２０が互いに近づくように移動する。距離計８６により計測された距離に基づき、振動子ユニット１８，２０が停止したこと判断すると、駆動機構制御部１０２は、駆動モータ３６の駆動制御を停止する。
【００２７】
制御部２８は、所定のプログラムに従って動作するとき、上述の音速算出部１００および駆動機構制御部１０２として機能するものとできる。
【００２８】
測定前は、２個のナット部４２，４４は、最も離れた状態にあり、ナット部のストッパ６２，６４に規制されて２個の振動子ユニット１８，２０も最も離れた状態になっている。測定が開始されると、駆動モータ３６により送りねじ４０が回転駆動され、この回転に伴い、２個のナット部４２，４４が互いに近づくように移動する。このとき、緩衝ばね５２，５４のばね力により、当接片７４，７６がストッパ６２，６４に当接した状態が維持され、移動するナット部４２，４４と共にスライダ４８，５０および振動子ユニット１８，２０も移動する。
【００２９】
振動子ユニット１８，２０が、図７に示すように足Ｆに当接すると、緩衝ばね５２，５４が延び、当接時の衝撃が緩和される。また、足Ｆに当接したことにより振動子ユニット１８，２０の移動が止まると、２個の振動子ユニット１８，２０間の距離が変化しなくなり、距離計８６がこれを検知する。この検知により駆動モータ３６が停止制御される。２個の振動子ユニット１８，２０の一方のみ足Ｆに当接した場合、他方の振動子ユニットは、移動可能であり、振動子ユニット間の距離は変化する。例えば、右振動子ユニット２０が先に足Ｆに当接した場合、緩衝ばね５４が伸びることにより右ナット部４４は移動を継続することができる。右ナット部４４が移動を継続するので、左ナット部４２も移動し、これに伴い左振動子ユニット１８も移動する。よって、この間、２個の振動子ユニット１８．２０の間の距離は減少し続ける。左振動子ユニット１８も足Ｆに当接すると、２個の振動子ユニット１８，２０の間の距離は変化しなくなり、駆動モータ３６が停止制御される。駆動モータ３６が停止すると、ナット部４２，４４はその位置に留まり、緩衝ばね５２，５４のばね力により、振動子ユニット１８．２０の足Ｆへの押圧状態が維持される。超音波を送受して受信信号を得ると、駆動モータ３６を先程とは逆に回転させ、２個のナット部４２，４４および２個の振動子ユニット１８，２０を互いに遠ざかる方向に駆動する。まず、ナット部４２，４４が移動を始め、ストッパ６２，６４と当接片７４，７６が接触すると振動子ユニット１８，２０も移動を開始する。振動子ユニット１８，２０が初期位置に復帰したら、駆動モータ３６を停止制御する。
【００３０】
図８は、超音波骨評価装置１０による測定に係るフローチャートである。測定開始指令が入力されると（Ｓ１００）、装置の状態が確認される（Ｓ１０２）。確認の内容は、例えば電池が十分に充電されているか、データ保存先の空き容量が十分か、環境温度が適切か、などがある。さらに、使用されている調節板３４の枚数を取得してもよい。初期確認が終了したら、振動子ユニット１８，２０を互いに近づく方向に駆動制御する（Ｓ１０４）。所定時間ごとに距離計測を行う（Ｓ１０６，Ｓ１０８）。計測された距離が前回の計測から変化しているかを判断し（Ｓ１１０）、変化していれば、ステップＳ１０６に戻る。ステップＳ１１０で、距離が変化していないとされた場合、振動子ユニット１８，２０が足Ｆに当接したと判断し、駆動モータ３６を停止制御する（Ｓ１１２）。
【００３１】
駆動モータ３６が停止すると、実際の測定が行われる（Ｓ１１４）。左振動子ユニット１８から超音波が送波され、足Ｆを伝わり右振動子ユニット２０に到達した超音波がこれに受波される。受信が確認されると、駆動モータ３６を逆転させて、２個の振動子ユニット１８，２０を互いに遠ざかる方向に駆動する（Ｓ１１６）。所定時間ごとに２個の振動子ユニット１８，２０の間の距離を測定する（Ｓ１１８，１２０）。測定される距離が所定値以上となった時点で（Ｓ１２２）、駆動モータ３６の停止させる（Ｓ１２４）。これにより振動子ユニット１８，２０が初期位置に復帰する。駆動モータ３６が停止すると、または、２個の振動子ユニット１８，２０を遠ざける方向に駆動するのと並行して、ステップＳ１１４で得られた測定結果の解析が行われる（Ｓ１２６）。例えば、送受信信号と距離に基づき音速が算出され、骨の状態が評価される。評価結果は、表示器、プリンタなどの外部機器に出力され（Ｓ１２８）、終了する。また、評価結果を提示するために、超音波骨評価装置１０に、表示部またはプリント部などを設けることもできる。また、評価結果を保存するメモリを超音波骨評価装置１０に搭載することもできる。
【００３２】
以上説明した実施形態においては、移動中、駆動モータ３６による振動子ユニット１８，２０の速度は一定であったが、変化するようにしてもよい。例えば、２個の振動子ユニット１８，２０が所定値まで近づいたら減速し、足Ｆに当接するときの速度を低減させるようにしてもよい。
【００３３】
また、２個の振動子ユニットを共に移動させるのではなく、一方のみ移動させて足Ｆを挟むようにしてもよい。この場合、まず固定された振動子ユニットに足Ｆを当てて、次にもう一つの振動子ユニットを移動させて足Ｆに当接させる。このときも、２個の振動子ユニットの間の距離が変化しなくなったら、振動子ユニットの移動を停止させる。
【００３４】
以上、音速に基づき骨の評価を行う装置について説明したが、音速に加え超音波の減衰量など他の物理量を測定し、減衰量など他の物理量と音速の値に基づき骨の評価を行う装置にも本発明を適用することができる。
【００３５】
この実施形態の超音波骨評価装置の振動子ユニットとユニット駆動機構は、次の特徴を有する。
（１）被検体に対して超音波を送受して骨の評価を行う超音波骨評価装置は、
超音波振動子と被検体に接する硬質の接触ヘッドとをそれぞれ備え、被検体を挟む２個の振動子ユニットと、
２個の振動子ユニットを被検体に対して進出および後退するように駆動するユニット駆動機構と、
を有し、
ユニット駆動機構は、駆動源と、駆動源の駆動力を振動子ユニットに伝達する伝達機構とを含み、
伝達機構は、振動子ユニットが被検体に当接する際、伸びて衝撃を緩和する弾性部材を有する。
（２）被検体に対して超音波を送受して骨の評価を行う超音波骨評価装置は、
超音波振動子と被検体に接する硬質の接触ヘッドとをそれぞれ備え、被検体を挟む２個の振動子ユニットと、
２個の振動子ユニットを被検体に対して進出および後退するように駆動するユニット駆動機構と、
を有し、
ユニット駆動機構は、
駆動モータと、
右ねじ部と左ねじ部を有し駆動モータにより回転駆動される送りねじと、
送りねじの右ねじ部にねじ結合され、一方の振動子ユニットに第１緩衝ばねを介して結合される右ねじナット部と、
送りねじの左ねじ部にねじ結合され、他方の振動子ユニットに第２緩衝ばねを介して結合される左ねじナット部と、
を有する。
【符号の説明】
【００３６】
１０  超音波骨評価装置、１８，２０  振動子ユニット、２２，２４  接触ヘッド、２６  ユニット駆動機構、２８  制御部、３６  駆動モータ、３８  伝達機構、４０  送りねじ、４２，４４  ナット部、４６  ガイド、４８，５０  スライダ、５２，５４  緩衝ばね、６２，６４  ストッパ、７４，７６  当接片、８６  距離計、８８  側距部、９０  反射鏡、１００  音速算出部、１０２  駆動機構制御部。
【図１】
0005914569.tif 000002
【図２】
0005914569.tif 000003
【図３】
0005914569.tif 000004
【図４】
0005914569.tif 000005
【図５】
0005914569.tif 000006
【図６】
0005914569.tif 000007
【図７】
0005914569.tif 000008
【図８】
0005914569.tif 000009